(57)【要約】【課題】衣類に止着する力を維持しつつ、衣類へのダメージをできるだけ低減することができる吸収性物品を提供する。【解決手段】吸収性物品１は、前後方向Ｌと、前後方向Ｌに直交する幅方向Ｗと、着用者の排泄口に対向する排泄口対向域と、使用時に衣類に面する裏面シート２０と、裏面シート２０に設けられ、衣類に止着する粘着剤を有する粘着領域５０と、を備える。粘着領域５０は、排泄口対向域の幅方向における中央部に設けられた第１粘着領域５１と、幅方向において第１粘着領域５１の両側に配置された第２粘着領域５２と、を有する。第１粘着領域５１における粘着剤の坪量は、第２粘着領域５２における粘着剤の坪量よりも大きい。【選択図】図２
2018015467.tif 000002
【特許請求の範囲】
【請求項１】
前後方向と、
前記前後方向に直交する幅方向と、
着用者の排泄口に対向する排泄口対向域と、
使用時に衣類に面する裏面シートと、
前記裏面シートに設けられ、衣類に止着する粘着剤を有する粘着領域と、を備えた吸収性物品であって、
前記粘着領域は、前記排泄口対向域の幅方向における中央部に設けられた第１粘着領域と、前記幅方向において前記第１粘着領域の両側に配置された第２粘着領域と、を有し、
前記第１粘着領域における粘着剤の坪量は、前記第２粘着領域における粘着剤の坪量よりも大きい、吸収性物品。
【請求項２】
前記排泄口対向域の後側に位置する第１折り線を有し、
前記粘着領域は、前記第１折り線よりも後側で幅方向における中央部に設けられた第３粘着領域と、前記幅方向において前記第３粘着領域の両側に位置する第４粘着領域と、を有し、
前記第３粘着領域における粘着剤の坪量は、前記第４粘着領域における粘着剤の坪量よりも大きい、請求項１に記載の吸収性物品。
【請求項３】
前記第３粘着領域は、前記第１粘着領域と連続しており、
前記第４粘着領域は、前記第２粘着領域と連続している、請求項２に記載の吸収性物品。
【請求項４】
前記排泄口対向域の前側に位置する第２折り線を有し、
前記粘着領域は、前記第２折り線よりも前側で幅方向における中央部に設けられた第５粘着領域と、前記幅方向において前記第５粘着領域の両側に位置する第６粘着領域と、を有し、
前記第５粘着領域における粘着剤の坪量は、前記第６粘着領域における粘着剤の坪量よりも大きい、請求項１から３のいずれか１項に記載の吸収性物品。
【請求項５】
前記第５粘着領域は、前記第１粘着領域と連続しており、
前記第６粘着領域は、前記第２粘着領域と連続している、請求項４に記載の吸収性物品。
【請求項６】
前記幅方向に沿ったライン上における前記粘着領域の粘着剤の合計の幅によって規定される塗布幅が、前記前後方向の前側又は後側に向かうにつれて小さくなった塗布幅低下領域を有する、請求項１から５のいずれか１項に記載の吸収性物品。
【請求項７】
前記塗布幅低下領域では、前記粘着剤の塗布域は、前記幅方向における外側に向かうほど、前記前後方向の外側まで延びている、請求項６に記載の吸収性物品。
【請求項８】
前記排泄口対向域の後側に位置する第１折り線と、前記排泄口対向域の前側に位置する第２折り線と、を有し、
前記塗布幅が前記前後方向の前側に向かうにつれて小さくなっている場合、前記塗布幅低下領域は、前記第２折り線よりも前側に設けられており、
前記塗布幅が前記前後方向の後側に向かうにつれて小さくなっている場合、前記塗布幅低下領域は、前記第１折り線よりも後側に設けられている、請求項６又は７に記載の吸収性物品。
【請求項９】
前記第１粘着領域は、前記幅方向における前記吸収性物品の中心を通って前記前後方向に延びる中心線から、前記幅方向に１５ｍｍ以内の範囲に設けられている、請求項１から８のいずれか１項に記載の吸収性物品。
【請求項１０】
着用者の肌側に向けられる表面シートと、
前記表面シートと前記裏面シートとの間の吸収体と、
前記吸収体が圧搾された部分から構成され、前記排泄口対向域において前記前後方向に沿って延びる一対の圧搾部と、を有し、
前記第２粘着領域の少なくとも一部は、前記幅方向において前記一対の圧搾部よりも外側に位置する、請求項１から９のいずれか１項に記載の吸収性物品。
【請求項１１】
前記裏面シートよりも肌面側で、少なくとも前記排泄口対向域に設けられる吸収体を有し、
前記吸収体は、前記排泄口対向域で前記幅方向における中心を含む領域に位置する中高部を有し、
前記中高部の厚みは、前記幅方向において前記中高部よりも外側に位置する吸収体の厚みよりも厚く、
前記第２粘着領域の少なくとも一部は、前記幅方向において前記中高部よりも外側に位置する、請求項１から１０のいずれか１項に記載の吸収性物品。
【請求項１２】
前記第１粘着領域及び前記第２粘着領域は、前記幅方向に互いに間隔をあけて配置され、前記前後方向に沿って延びている、請求項１から１１のいずれか１項に記載の吸収性物品。
【請求項１３】
前記粘着領域を構成する粘着剤の坪量は、前記幅方向における中央から外側に向かうにつれて小さくなっていく、請求項１から１２のいずれか１項に記載の吸収性物品。
【請求項１４】
着用者の肌側に向けられる表面シートと、
前記表面シートと前記裏面シートとの間の吸収体と、を有し、
前記第１粘着領域は、前記吸収性物品の厚み方向において前記吸収体と重なる領域に設けられた粘着剤のなかで最も大きい坪量を有する粘着剤によって構成される、請求項１から１３のいずれか１項に記載の吸収性物品。
【請求項１５】
前後方向と、
前記前後方向に直交する幅方向と、
使用時に衣類に面する裏面シートと、
前記裏面シートに設けられ、衣類に止着する粘着剤を有する粘着領域と、を備えた吸収性物品であって、
前記粘着領域は、着座した着用者からの圧力を受ける領域に位置する第２粘着領域と、前記第２粘着領域とは異なる位置に設けられた第１粘着領域と、を有し、
前記第１粘着領域における粘着剤の坪量は、前記第２粘着領域における粘着剤の坪量よりも大きく、
前記吸収性物品を金巾の上に置いた状態で前記吸収性物品上を前記前後方向に５０ｍｍ／ｓｅｃの速さで２００ｇの圧着ローラを転がした後に、前記前後方向に１２０ｍｍ／ｓｅｃの速さで前記吸収性物品を前記金巾から剥がしたときに生じる剥離音の音圧レベルが、基準音圧レベルを２０μＰａとしたときに、７０ｄＢ以下である、吸収性物品。
【発明の詳細な説明】
【技術分野】
【０００１】
本発明は、衣類に止着する粘着剤を有する粘着領域を備えた吸収性物品に関する。
【背景技術】
【０００２】
特許文献１は、下着等の衣類に取り付けて用いられるタイプの吸収性物品を開示している。吸収性物品は、着用者の肌と当接する表面シートと、下着等の衣類と当接する裏面シートと、表面シートと裏面シートとの間の吸収体と、を有する。裏面シートの衣類当接面には、吸収性物品を下着などの衣類に固定するための止着手段が設けられている。止着手段としては粘着剤が用いられる。特許文献１では、止着手段は、高タック力を有する粘着剤が塗布された高タック領域と、高タック領域の粘着剤よりも低タック力を有する粘着剤が塗布された低タック領域と、を有する。このように、特許文献１に記載の吸収性物品では、粘着力の異なる２種以上の粘着剤が用いられている。また、高タック力領域と低タック力領域との面積比（高タック力領域対低タック力領域）が、９対１〜１対９、特に１対１〜１対４であることが好ましいとされている。
【先行技術文献】
【特許文献】
【０００３】
【特許文献１】特開２００６−２９６９７４号公報
【発明の概要】
【発明が解決しようとする課題】
【０００４】
特許文献１では、高タック力領域及び低タック力領域の形状や配置位置に特に制限はない（特許文献１の段落００２０）。しかしながら、本願発明者は、鋭意検討の結果、以下のような課題が生じることを発見した。
【０００５】
すなわち、着用中、特に着座中に着用者からの圧力がかかる領域に高タック力領域が存在すると、着用者からの圧力によって、吸収性物品の高タック力領域が下着のような衣類に強く粘着することになる。これにより、吸収性物品を衣類から剥がすときに、衣類にダメージが生じることがある。
【０００６】
一方、着用中、特に着座中に着用者からの圧力がほとんどかからない領域に低タック力領域が存在すると、吸収性物品の低タック力領域を衣類へ止着させる力が十分とはならず、吸収性物品の低タック力領域が着用中に衣類からずれてしまう虞がある。
【０００７】
したがって、衣類に止着する力を維持しつつ、衣類へのダメージをできるだけ低減することができる吸収性物品が望まれる。
【課題を解決するための手段】
【０００８】
一態様に係る吸収性物品は、前後方向と、前記前後方向に直交する幅方向と、着用者の排泄口に対向する排泄口対向域と、使用時に衣類に面する裏面シートと、前記裏面シートに設けられ、衣類に止着する粘着剤を有する粘着領域と、を備える。前記粘着領域は、前記排泄口対向域の幅方向における中央部に設けられた第１粘着領域と、前記幅方向において前記第１粘着領域の両側に配置された第２粘着領域と、を有する。前記第１粘着領域における粘着剤の坪量は、前記第２粘着領域における粘着剤の坪量よりも大きい。
【発明の効果】
【０００９】
上記態様に係る吸収性物品によれば、衣類に止着する力を維持しつつ、衣類へのダメージをできるだけ低減することができる。
【図面の簡単な説明】
【００１０】
【図１】図１は、第１実施形態における吸収性物品の平面図である。
【図２】図２は、図１とは反対側から見た吸収性物品の平面図である。
【図３】図３は、図１の３Ａ−３Ａ線に沿った吸収性物品の断面図である。
【図４】図４は、衣類に面する側から見た第２実施形態における吸収性物品の平面図である。
【発明を実施するための形態】
【００１１】
（１）実施形態の概要
本明細書及び添付図面の記載により、少なくとも以下の事項が明らかとなる。
【００１２】
一態様に係る吸収性物品は、前後方向と、前記前後方向に直交する幅方向と、着用者の排泄口に対向する排泄口対向域と、使用時に衣類に面する裏面シートと、前記裏面シートに設けられ、衣類に止着する粘着剤を有する粘着領域と、を備え、前記粘着領域は、前記排泄口対向域の幅方向における中央部に設けられた第１粘着領域と、前記幅方向において前記第１粘着領域の両側に配置された第２粘着領域と、を有し、前記第１粘着領域における粘着剤の坪量は、前記第２粘着領域における粘着剤の坪量よりも大きい。
【００１３】
排泄口対向域の幅方向における中央部は、着用者の臀裂に対向する部分であるため、着座中に着用者から受ける圧力が比較的小さい。一方、排泄口対向域の幅方向における外側部は、着用者の臀部に対向する部分であるため、着座中に着用者の臀部から強い圧力を受ける。
【００１４】
本態様によれば、第２粘着領域は、着座中に着用者の臀部から比較的強い圧力を受ける領域に配置されている。したがって、第２粘着領域における粘着剤の坪量が比較的小さくても、第２粘着領域は、着用者から強い圧力によって、下着のような衣類にしっかりと止着される。
【００１５】
また、第１粘着領域は、概ね、着座中に受ける着用者からの圧力が比較的小さい領域に配置されている。ここで、第１粘着領域における粘着剤の坪量は第２粘着領域における粘着剤の坪量よりも大きい。そのため、第１粘着領域は、着用者から受ける圧力が小さくても、下着のような衣類にしっかりと止着される。
【００１６】
特に、排泄口対向域の幅方向における中央部付近は、着用者の排泄口、例えば膣口に対向する部分であるため、着用者は、衛生上の観点から、吸収性物品を排泄口対向域の幅方向における中央部付近を衣類に向かって強く押さないことがある。この場合であっても、第１粘着領域における粘着剤の坪量が第２粘着領域における粘着剤の坪量よりも大きいので、第１粘着領域を衣類にしっかりと止着できる。
【００１７】
上述したように、本態様に係る吸収性物品では、着用者から強い圧力を受ける領域に配置された粘着剤、すなわち第２粘着領域における粘着剤の坪量を低くしている。これにより、吸収性物品を衣類から剥がすときに、剥離音の音圧レベルを小さくすることができる。剥離音の音圧レベルは、粘着領域の衣類への粘着力を表す指標となる。したがって、剥離音の音圧レベルを小さくすることで、衣類に生じるダメージをなるべく低減することができる。
【００１８】
以上のように、本態様に係る吸収性物品は、衣類に止着する力を維持しつつ、衣類へのダメージをできるだけ低減することができる。
【００１９】
好ましい一態様によれば、吸収性物品は、前記排泄口対向域の後側に位置する第１折り線を有し、前記粘着領域は、前記第１折り線よりも後側で幅方向における中央部に設けられた第３粘着領域と、前記幅方向において前記第３粘着領域の両側に位置する第４粘着領域と、を有し、前記第３粘着領域における粘着剤の坪量は、前記第４粘着領域における粘着剤の坪量よりも大きい。
【００２０】
第１折り線よりも後側の領域の幅方向における中央部は、着用者の臀裂の上部に対向する部分であるため、着座中に着用者から受ける圧力が比較的小さい。一方、第１折り線よりも後側の領域の幅方向における外側部は、着用者の臀部の上部に対向する部分であるため、着座中に着用者の臀部から強い圧力を受ける。
【００２１】
したがって、排泄口対向域と同様に第１折り線よりも後側の領域においても、幅方向における中央部に位置する第３粘着領域における粘着剤の坪量を、幅方向における外側部に位置する第４粘着領域における粘着剤の坪量よりも大きくすることで、衣類に止着する力を維持しつつ、剥離音の音圧レベルを小さくし、衣類へのダメージをできるだけ低減することができる。
【００２２】
好ましい一態様によれば、前記第３粘着領域は、前記第１粘着領域と連続しており、前記第４粘着領域は、前記第２粘着領域と連続している。
【００２３】
これにより、着用者が前後方向に吸収性物品を衣類からはがす際に、吸収性物品を引っ張る力が概ね一定になり、滑らかに吸収性物品をはがすことができる。ここで、前後方向において粘着領域（粘着剤）が間欠的に設けられていると、吸収性物品をはがす際に、粘着剤が設けられていない間欠部と粘着剤との境界部分付近の部分が衣類から剥がれる際に、剥離音の音圧レベルが大きくなってしまう。本態様によれば、第３粘着領域が第１粘着領域と連続し、第４粘着領域が第２粘着領域と連続するため、剥離音の増大を抑制することができ、これにより衣類へのダメージを抑制することができる。
【００２４】
好ましい一態様によれば、吸収性物品は、前記排泄口対向域の前側に位置する第２折り線を有し、前記粘着領域は、前記第２折り線よりも前側で幅方向における中央部に設けられた第５粘着領域と、前記幅方向において前記第５粘着領域の両側に位置する第６粘着領域と、を有し、前記第５粘着領域における粘着剤の坪量は、前記第６粘着領域における粘着剤の坪量よりも大きい。
【００２５】
第２折り線よりも前側の領域の幅方向における中央部は、着座中に着用者から受ける圧力が比較的小さい。一方、第２折り線よりも前側の領域の幅方向における外側部は、着座中に着用者が脚を組み替えることにより強い圧力を受ける。
【００２６】
したがって、排泄口対向域と同様に第２折り線よりも前側の領域においても、幅方向における中央部に位置する第５粘着領域における粘着剤の坪量を、幅方向における外側部に位置する第６粘着領域における粘着剤の坪量よりも大きくすることで、衣類に止着する力を維持しつつ、剥離音の音圧レベルを小さくし、衣類へのダメージをできるだけ低減することができる。
【００２７】
好ましい一態様によれば、前記第５粘着領域は、前記第１粘着領域と連続しており、前記第６粘着領域は、前記第２粘着領域と連続している。
【００２８】
これにより、着用者が前後方向に吸収性物品を衣類からはがす際に、吸収性物品を引っ張る力が概ね一定になり、滑らかに吸収性物品をはがすことができる。さらに、吸収性物品を剥離する際の剥離音の増大を抑制することができ、これにより衣類へのダメージを抑制することができる。
【００２９】
好ましい一態様によれば、吸収性物品は、前記幅方向に沿ったライン上における前記粘着領域の粘着剤の合計の幅によって規定される塗布幅が、前記前後方向の前側又は後側に向かうにつれて小さくなった塗布幅低下領域を有する。
【００３０】
着用者が衣類から吸収性物品を剥がす際、着用者は、吸収性物品の前側又は後側から剥がすことが多い。幅方向に沿ったライン上における粘着剤の合計の幅によって規定される塗布幅が、前側又は後側に向かうにつれて小さくなっていることにより、吸収性物品の剥がし始めの部分の粘着力を低下させることができる。これにより、吸収性物品を剥がし易くすることができる。
【００３１】
また、吸収性物品の剥がし始めの部分は一般に剥離音の音圧レベルが大きくなりがちであるが、剥がし始めの部分の粘着力を低下させることにより、剥がし始めの音圧レベルを低減することができる。
【００３２】
さらに、着用者が衣類から吸収性物品を剥がす際、吸収性物品の前側から剥がす着用者が多いことを考慮すると、少なくとも粘着領域の前側の端部において、幅方向に沿ったライン上における粘着剤の塗布域が、前側に向かうにつれて小さくなっていることが好ましい。
【００３３】
好ましい一態様によれば、前記塗布幅低下領域では、前記粘着剤の塗布域は、前記幅方向における外側に向かうほど、前記前後方向の外側まで延びている。
【００３４】
これにより、粘着領域の前側の最端部又は後側の最端部をできるだけ幅方向における外側に位置させることができる。したがって、粘着領域の前後方向の最端部と粘着領域の幅方向の最端部とによって形成される領域をより広くすることができる。よって、吸収性物品をより安定的に衣類に取り付けることができる。
【００３５】
好ましい一態様によれば、吸収性物品は、前記排泄口対向域の後側に位置する第１折り線と、前記排泄口対向域の前側に位置する第２折り線と、を有し、前記塗布幅が前記前後方向の前側に向かうにつれて小さくなっている場合、前記塗布幅低下領域は、前記第２折り線よりも前側に設けられており、前記塗布幅が前記前後方向の後側に向かうにつれて小さくなっている場合、前記塗布幅低下領域は、前記第１折り線よりも後側に設けられている。
【００３６】
塗布幅低下領域が排泄口対向域にも存在すると、排泄口対向域を衣類に止着させるための粘着力が低下することがある。本態様では、塗布幅低下領域が第１折り線よりも後側又は第２折り線よりも前側に設けられているので、排泄口対向域を衣類に止着させる力を維持することができる。
【００３７】
好ましい一態様によれば、前記第１粘着領域は、前記幅方向における前記吸収性物品の中心を通って前記前後方向に延びる中心線から、前記幅方向に１５ｍｍ以内の範囲に設けられている。
【００３８】
人の臀部及び臀裂の大きさを考慮すると、排泄口対向域において、中心線から幅方向に１５ｍｍ以内の範囲内の領域が、着用者からの圧力を受けにくい位置に相当する。よって、比較的大きい坪量を有する粘着剤を有する第１粘着領域が、中心線から幅方向に１５ｍｍ以内の範囲に設けられていることで、排泄口対向域の幅方向における中央部をしっかりと衣類に止着させることができる。
【００３９】
好ましい一態様によれば、吸収性物品は、着用者の肌側に向けられる表面シートと、前記表面シートと前記裏面シートとの間の吸収体と、前記吸収体が圧搾された部分から構成され、前記排泄口対向域において前記前後方向に沿って延びる一対の圧搾部と、を有し、前記第２粘着領域の少なくとも一部は、前記幅方向において前記一対の圧搾部よりも外側に位置する。
【００４０】
排泄口対向域は、着用者の両脚の間に挟まれる。これにより、幅方向における排泄口対向域の中央部は、圧搾部を基点に着用者の臀裂に向かって立ち上がるように変形する。これにより、幅方向における排泄口対向域の中央部を着用者の肌に密着させることができる。
【００４１】
本態様では、第２粘着領域の少なくとも一部は、一対の圧搾部間の領域よりも外側の領域、すなわち圧搾部を基点に着用者の臀裂に向かって立ち上がる領域の外側に位置する。この領域は、着用者の臀部からの力を強く受ける領域である。したがって、比較的小さい坪量を有する粘着剤を有する第２粘着領域の少なくとも一部が一対の圧搾部よりも外側に位置することにより、剥離音の音圧レベルを小さくし、衣類へのダメージをできるだけ低減することができる。
【００４２】
好ましい一態様によれば、吸収性物品は、前記裏面シートよりも肌面側で、少なくとも前記排泄口対向域に設けられる吸収体を有し、前記吸収体は、前記排泄口対向域で前記幅方向における中心を含む領域に位置する中高部を有し、前記中高部の厚みは、前記幅方向において前記中高部よりも外側に位置する吸収体の厚みよりも厚く、前記第２粘着領域の少なくとも一部は、前記幅方向において前記中高部よりも外側に位置する。
【００４３】
中高部は、排泄口対向域で幅方向における中心を含む領域、すなわち着用者の臀裂に対向する領域に設けられている。中高部は、吸収体の厚みが比較的大きい部分によって構成されるため、中高部は、着用者の肌に密着し易い。
【００４４】
本態様では、第２粘着領域の少なくとも一部は、幅方向において中高部よりも外側、すなわち着用者の肌に密着し易い部分の外側に位置する。この領域は、着用者の臀部からの力を強く受ける領域である。したがって、比較的小さい坪量を有する粘着剤を有する第２粘着領域の少なくとも一部が中高部よりも外側に位置することにより、剥離音の音圧レベルを小さくし、衣類へのダメージをできるだけ低減することができる。
【００４５】
好ましい一態様によれば、前記第１粘着領域及び前記第２粘着領域は、前記幅方向に互いに間隔をあけて配置され、前記前後方向に沿って延びている。
【００４６】
第１粘着領域及び第２粘着領域が幅方向に互いに間隔をあけて配置されているので、幅方向に沿ったライン上において、粘着領域を構成する粘着剤の領域が比較的小さくなる。したがって、着用者が前後方向に吸収性物品を衣類からはがす際に、吸収性物品を引っ張る力は小さくてよい。また、第１粘着領域及び第２粘着領域が前後方向に沿って延びているので、吸収性物品を引っ張る力が概ね一定になり、滑らかに吸収性物品をはがすことができる。
【００４７】
好ましい一態様によれば、前記粘着領域を構成する粘着剤の坪量は、前記幅方向における中央から外側に向かうにつれて小さくなっていく。
【００４８】
着用者が着座した状態では、吸収性物品が着用者から受ける圧力は、幅方向における中央から外側に向かうにつれて大きくなっていく。したがって、粘着領域を構成する粘着剤の坪量が幅方向における中央から外側に向かうにつれて小さくなっていることによって、着用者からの圧力を強く受ける領域の粘着剤の坪量を小さくし、着用者からの圧力をあまり受けない領域の粘着剤の坪量を大きくすることができる。よって、衣類に止着する力を維持しつつ、剥離音の音圧レベルを小さくし、衣類へのダメージをできるだけ低減することができる。
【００４９】
好ましい一態様によれば、吸収性物品は、着用者の肌側に向けられる表面シートと、前記表面シートと前記裏面シートとの間の吸収体と、を有し、前記第１粘着領域は、前記吸収性物品の厚み方向において前記吸収体と重なる領域に設けられた粘着剤のなかで最も大きい坪量を有する粘着剤によって構成される。
【００５０】
第１粘着領域は、排泄口対向域で幅方向における中央部に設けられている。この領域は、着用者の臀裂に対向する領域であるため、着用者からの圧力を受け難い。したがって、第１粘着領域の粘着剤の坪量を、吸収体と重なる領域に設けられた粘着剤のなかで最も大きくすることで、排泄口対向域における幅方向の中央部をしっかりと衣類に止着させることができる。特に、排泄口対向域の幅方向における中央部は、着用者からの体液を直接受け止める領域に相当するので、衣類に対してしっかりと止着されることが好ましい。
【００５１】
一態様に係る吸収性物品は、前後方向と、前記前後方向に直交する幅方向と、使用時に衣類に面する裏面シートと、前記裏面シートに設けられ、衣類に止着する粘着剤を有する粘着領域と、を備える。前記粘着領域は、着座した着用者からの圧力を受ける領域に位置する第２粘着領域と、前記第２粘着領域とは異なる位置に設けられた第１粘着領域と、を有する。前記第１粘着領域における粘着剤の坪量は、前記第２粘着領域における粘着剤の坪量よりも大きい。前記吸収性物品を金巾の上に置いた状態で前記吸収性物品上を前記前後方向に５０ｍｍ／ｓｅｃの速さで２００ｇの圧着ローラを転がした後に、前記前後方向に１２０ｍｍ／ｓｅｃの速さで前記吸収性物品を前記金巾から剥がしたときに生じる剥離音の音圧レベルが、基準音圧レベルを２０μＰａとしたときに、７０ｄＢ以下である。
【００５２】
本態様によれば、第２粘着領域は、着座した着用者からの圧力を受ける領域に配置されている。ここで、第２粘着領域における粘着剤の坪量が比較的小さくても、第２粘着領域は、着用者から強い圧力によって、下着のような衣類にしっかりと止着される。
【００５３】
また、第１粘着領域は、第２粘着領域とは異なる位置、すなわち着座した着用者からの圧力をあまり受けない領域に配置されている。ここで、第１粘着領域における粘着剤の坪量は第２粘着領域における粘着剤の坪量よりも大きい。そのため、第１粘着領域は、着用者からあまり圧力を受けなくても、下着のような衣類にしっかりと止着される。
【００５４】
本態様に係る吸収性物品では、吸収性物品を衣類から剥離したときの剥離音の音圧レベルが小さい。剥離音の音圧レベルは、粘着領域の衣類への粘着力を表す指標となる。したがって、剥離音の音圧レベルを小さくすることで、衣類に生じるダメージをなるべく低減することができる。
【００５５】
以上のように、本態様に係る吸収性物品は、衣類に止着する力を維持しつつ、衣類へのダメージをできるだけ低減することができる。
【００５６】
（２）吸収性物品の構成
以下、図１〜３を参照して、第１実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００５７】
図１は、第１実施形態における吸収性物品の平面図である。図２は、図１とは反対側から見た吸収性物品の平面図である。図３は、図１の３Ａ−３Ａ線に沿った吸収性物品の断面図である。吸収性物品１としては、パンティーライナー（おりものシート）や生理用ナプキンや失禁パッド等の任意の吸収性物品が想定される。本実施形態では、かかる吸収性物品１として生理用ナプキンが用いられるケースについて説明する。
【００５８】
吸収性物品１は、前後方向Ｌと、前後方向Ｌに直交する幅方向Ｗと、厚み方向Ｔと、を有する。前後方向Ｌは、吸収性物品１の長手方向に沿う方向である。
【００５９】
吸収性物品１は、使用時に着用者の排泄口に対向する排泄口対向域Ｓ２と、排泄口対向域Ｓ２よりも前側の前側域Ｓ１と、排泄口対向域Ｓ２よりも後側の後側域Ｓ３と、を有する。
【００６０】
吸収性物品１は、排泄口対向域Ｓ２で幅方向Ｗの外側へ延出する一対のウイング４０を有していてよい。ウイング４０は、吸収性物品１を下着のような衣類に取り付ける際に、下着の非肌面側へ折り返される。吸収性物品１は、ウイング６０を衣類に止着する粘着剤を有するウイング粘着領域６０を有していてよい。
【００６１】
ウイング４０を有する吸収性物品１では、排泄口対向域Ｓ２と前側域Ｓ１の境界は、ウイング５０の前側の基端部４０ａによって規定され、排泄口対向域Ｓ２と後側域Ｓ３の境界は、ウイング５０の後側の基端部４０ｂによって規定される。ここで、ウイング５０の基端部４０ａ，４０ｂは、ウイングの付け根、より具体的には、吸収性物品１が内側へ括れた位置を意味する。
【００６２】
吸収性物品１は、表面シート１０と、裏面シート２０と、吸収体３０と、を有する。吸収体３０は、表面シート１０と裏面シート２０との間に設けられている。表面シート１０は、吸収性物品の着用時の着用者の肌側に向けられる。裏面シート２０は、吸収性物品の着用時に、下着のような衣類側に面する。吸収体３０は、少なくとも排泄口対向域Ｓ２に設けられている。より具体的には、吸収体３０は、排泄口対向域Ｓ２から前側域Ｓ１へ、かつ排泄口対向域Ｓ２から後側域Ｓ３へ延びていてよい。パルプやＳＡＰ等の吸収材料を有する吸収コアと、吸収コアを覆うコアラップと、を有する。
【００６３】
吸収性物品１は、吸収体３０が圧搾された部分から構成され、排泄口対向域Ｓ２において前後方向Ｌに沿って延びる一対の圧搾部３６を有していてよい。具体的には、一対の圧搾部３６は、少なくとも排泄口対向域Ｓ２において、幅方向Ｗにおける吸収性物品１の中心を通り、前後方向Ｌに延びる中心線ＣＬを挟んで両側に設けられている。
【００６４】
排泄口対向域Ｓ２は、吸収性物品の使用中に着用者の両脚の間に挟まれる。これにより、幅方向Ｗにおける排泄口対向域Ｓ２の中央部は、圧搾部３６を基点に着用者の臀裂に向かって立ち上がるように変形する。これにより、幅方向Ｗにおける排泄口対向域Ｓ２の中央部を着用者の肌に密着させることができる。
【００６５】
吸収体３０は、排泄口対向域Ｓ２で幅方向Ｗにおける中心を含む領域に位置する中高部３２を有する。中高部３２は、比較的厚い吸収体の部分であり、より具体的には、幅方向Ｗにおいて中高部３２よりも外側に位置する吸収体の厚みよりも厚い部分である。
【００６６】
中高部３２は、排泄口対向域Ｓ２で幅方向Ｗにおける中心を含む領域、すなわち着用者の臀裂に対向する領域に設けられている。中高部３２は、吸収体３０の厚みが比較的大きい部分によって構成されるため、中高部３２は、着用者の肌に密着し易い。
【００６７】
中高部３２は、少なくとも排泄口対向域Ｓ２において、一対の圧搾部３６よりも幅方向Ｗの内側に設けられていてよい。この場合、一対の圧搾部３６を基点に中高部３２を着用者の肌に向かって立ち上がるように変形させることができるため、排泄口対向域Ｓ２の中央部を着用者の肌により密着させることができる。
【００６８】
吸収性物品１は、排泄口対向域Ｓ２の後側に位置する第１折り線Ｆ１と、排泄口対向域Ｓ２の前側に位置する第２折り線Ｆ２と、を有していてよい。第１折り線Ｆ１及び第２折り線Ｆ２は、幅方向Ｗに沿って延びている。第１折り線Ｆ１及び第２折り線Ｆ２は、吸収性物品１を個別に包装するときに吸収性物品を折り返すラインである。
【００６９】
吸収性物品１は、裏面シート２０に、吸収性物品１を衣類に止着する粘着剤を有する粘着領域５０を備えている。粘着領域５０は、吸収性物品１の厚み方向において、吸収体３０と重なる領域に設けられている。本実施形態では、粘着領域５０は、第１粘着領域５１と、第２粘着領域５２と、第３粘着領域５３と、第４粘着領域５４と、第５粘着領域５５と、第６粘着領域５６と、を有する。
【００７０】
第２粘着領域５２は、着座した着用者からの圧力を受ける領域に位置する。一方、第１粘着領域５１は、第２粘着領域５２とは異なる位置に設けられている。ここで、第１粘着領域５１における粘着剤の坪量は、第２粘着領域５２における粘着剤の坪量よりも大きい。
【００７１】
本態様によれば、第２粘着領域５２は、着座した着用者からの圧力を受ける領域に配置されている。ここで、第２粘着領域５２における粘着剤の坪量が比較的小さくても、第２粘着領域５２は、着用者から強い圧力によって、下着のような衣類にしっかりと止着される。
【００７２】
また、第１粘着領域５１は、第２粘着領域５２とは異なる位置、すなわち着座した着用者からの圧力をあまり受けない領域に配置されている。ここで、第１粘着領域５１における粘着剤の坪量は第２粘着領域５２における粘着剤の坪量よりも大きい。そのため、第１粘着領域５１は、着用者からあまり圧力を受けなくても、下着のような衣類にしっかりと止着される。
【００７３】
さらに、粘着領域５０は、以下のように構成されることが好ましい。すなわち、吸収性物品１を金巾の上に置いた状態で吸収性物品１上を前後方向Ｌに５０ｍｍ／ｓｅｃの速さで２００ｇの圧着ローラを転がした後に、前後方向に１２０ｍｍ／ｓｅｃの速さで吸収性物品を金巾から剥がしたときに生じる剥離音の音圧レベルが、基準音圧レベルを２０μＰａとしたときに、７０ｄＢ以下である。
【００７４】
本態様に係る吸収性物品１では、吸収性物品１を衣類から剥離したときの剥離音の音圧レベルが小さい。剥離音の音圧レベルは、粘着領域５０の衣類への粘着力を表す指標となる。したがって、剥離音の音圧レベルを小さくすることで、衣類に生じるダメージをなるべく低減することができる。
【００７５】
以上のように、剥離音の音圧レベルが上記構成になるようにしつつ、第１粘着領域５１及び第２粘着領域５２の粘着剤の坪量を適切に調整することによって、衣類に止着する力を維持しつつ、衣類へのダメージをできるだけ低減することができる。
【００７６】
第１粘着領域５１は排泄口対向域Ｓ２の幅方向Ｗにおける中央部に設けられ、第２粘着領域５２は幅方向Ｗにおいて第１粘着領域５１の両側に配置されていることが好ましい。さらに、前述したように、第１粘着領域５１における粘着剤の坪量は、第２粘着領域５２における粘着剤の坪量よりも大きい。
【００７７】
排泄口対向域Ｓ２の幅方向Ｗにおける中央部は、着用者の臀裂に対向する部分であるため、着座中に着用者から受ける圧力が比較的小さい。一方、排泄口対向域Ｓ２の幅方向Ｗにおける外側部は、着用者の臀部に対向する部分であるため、着座中に着用者の臀部から強い圧力を受ける。
【００７８】
上記態様によれば、第２粘着領域５２は、着座中に着用者の臀部から比較的強い圧力を受ける領域に配置されている。したがって、第２粘着領域５２における粘着剤の坪量が比較的小さくても、第２粘着領域５２は、着用者から強い圧力によって、下着のような衣類にしっかりと止着される。
【００７９】
また、第１粘着領域５１は、概ね、着座中に受ける着用者からの圧力が比較的小さい領域に配置されている。ここで、第１粘着領域５１における粘着剤の坪量は第２粘着領域５２における粘着剤の坪量よりも大きい。そのため、第１粘着領域５１は、着用者から受ける圧力が小さくても、下着のような衣類にしっかりと止着される。
【００８０】
特に、排泄口対向域Ｓ２の幅方向Ｗにおける中央部付近は、着用者の排泄口、例えば膣口に対向する部分であるため、着用者は、衛生上の観点から、排泄口対向域Ｓ２の幅方向Ｗにおける中央部付近を衣類に向かって強く押さないことがある。この場合であっても、第１粘着領域５１における粘着剤の坪量が第２粘着領域５２における粘着剤の坪量よりも大きいので、第１粘着領域５１を衣類にしっかりと止着できる。
【００８１】
上述したように、本態様に係る吸収性物品では、着用者から強い圧力を受ける領域に配置された粘着剤、すなわち第２粘着領域５２における粘着剤の坪量を低くしている。これにより、吸収性物品１を衣類から剥がすときに、剥離音の音圧レベルを小さくすることができる。剥離音の音圧レベルは、粘着領域５０の衣類への粘着力を表す指標となる。したがって、剥離音の音圧レベルを小さくすることで、衣類に生じるダメージをなるべく低減することができる。
【００８２】
以上のように、第１粘着領域５１及び第２粘着領域５２の位置や坪量を適切に調節することによって、衣類に止着する力を維持しつつ、衣類へのダメージをできるだけ低減することができる。
【００８３】
第１粘着領域５１は、幅方向Ｗにおける吸収性物品の中心を通って前後方向に延びる中心線ＣＬから幅方向Ｗに１５ｍｍ以内の範囲Ｌ１に設けられていることが好ましい。人の臀部及び臀裂の大きさを考慮すると、排泄口対向域Ｓ２において、中心線ＣＬから幅方向Ｗに１５ｍｍ以内の範囲Ｌ１内の領域が、着用者からの圧力を受けにくい位置に相当する。よって、比較的大きい坪量を有する粘着剤を有する第１粘着領域５１が、中心線ＣＬから幅方向に１５ｍｍ以内の範囲Ｌ１に設けられていることで、排泄口対向域Ｓ２の幅方向Ｗにおける中央部をしっかりと衣類に止着させることができる。
【００８４】
第２粘着領域５２の少なくとも一部は、幅方向Ｗにおいて一対の圧搾部３６よりも外側に位置することが好ましい。これにより、第２粘着領域５２の少なくとも一部は、圧搾部３６を基点に着用者の臀裂に向かって立ち上がる領域の外側に位置することになる。この領域は、着用者の臀部からの力を強く受ける領域である。したがって、比較的小さい坪量を有する粘着剤を有する第２粘着領域５２の少なくとも一部が一対の圧搾部３６よりも外側に位置することにより、剥離音の音圧レベルを小さくし、衣類へのダメージをできるだけ低減することができる。
【００８５】
また、第２粘着領域５２の少なくとも一部は、幅方向Ｗにおいて中高部３２よりも外側に位置することが好ましい。前述したように、中高部３２は、排泄口対向域Ｓ２で幅方向Ｗにおける中心を含む領域、すなわち着用者の臀裂に対向する領域に設けられている。したがって、第２粘着領域５２の少なくとも一部は、着用者の肌に密着し易い部分よりも外側に位置する。この領域は、着用者の臀部からの力を強く受ける領域である。したがって、比較的小さい坪量を有する粘着剤を有する第２粘着領域５２の少なくとも一部が中高部３２よりも外側に位置することにより、剥離音の音圧レベルを小さくし、衣類へのダメージをできるだけ低減することができる。
【００８６】
本実施形態では、第３粘着領域５３は、第１折り線Ｆ１よりも後側で幅方向Ｗにおける中央部に設けられており、第４粘着領域５４は、幅方向Ｗにおいて第３粘着領域５３の両側に位置する。ここで、第３粘着領域５３における粘着剤の坪量は、第４粘着領域５４における粘着剤の坪量よりも大きいことが好ましい。
【００８７】
第１折り線Ｆ１よりも後側の領域の幅方向Ｗにおける中央部は、着用者の臀裂の上部に対向する部分であるため、着座中に着用者から受ける圧力が比較的小さい。一方、第１折り線Ｆ１よりも後側の領域の幅方向Ｗにおける外側部は、着用者の臀部の上部に対向する部分であるため、着座中に着用者の臀部から比較的強い圧力を受ける。
【００８８】
したがって、排泄口対向域Ｓ２と同様に第１折り線Ｆ１よりも後側の領域においても、幅方向Ｗにおける中央部に位置する第３粘着領域５３における粘着剤の坪量を、幅方向Ｗにおける外側部に位置する第４粘着領域５４における粘着剤の坪量よりも大きくすることで、衣類に止着する力を維持しつつ、剥離音の音圧レベルを小さくし、衣類へのダメージをできるだけ低減することができる。
【００８９】
第５粘着領域５５は、第２折り線Ｆ２よりも前側で幅方向Ｗにおける中央部に設けられていてよい。第６粘着領域５６は、幅方向Ｗにおいて第５粘着領域５５の両側に位置していてよい。本実施形態では、第５粘着領域５５における粘着剤の坪量は、第６粘着領域５６における粘着剤の坪量と実質的に等しい。
【００９０】
第１粘着領５１域及び第２粘着領域５２は、幅方向Ｗに互いに間隔をあけて配置され、前後方向Ｌに沿って延びていることが好ましい。幅方向に沿ったライン上において、粘着領域５０を構成する粘着剤が間欠的に配置されているため、粘着剤が幅方向に沿って延びている場合と比較すると、幅方向に沿ったライン上における粘着剤の量が比較的小さくなる。したがって、着用者が前後方向Ｌに沿って吸収性物品を衣類からはがす際に、吸収性物品を引っ張る力が比較的小さくてよい。また、第１粘着領域５１及び第２粘着領域５２が前後方向Ｌに沿って延びているので、吸収性物品１を引っ張る力が概ね一定になり、滑らかに吸収性物品１を衣類からはがすことができる。
【００９１】
また、同様な観点から、第３粘着領５３及び第４粘着領域５４も幅方向Ｗに互いに間隔をあけて配置され、前後方向Ｌに沿って延びていることが好ましい。同様に、第５粘着領５５及び第６粘着領域５６も、幅方向Ｗに互いに間隔をあけて配置され、前後方向Ｌに沿って延びていることが好ましい。
【００９２】
第１粘着領域５１は、吸収性物品の厚み方向において吸収体３０と重なる領域に設けられた粘着剤のなかで最も大きい坪量を有する粘着剤によって構成されることが好ましい。具体例として、本実施形態では、第１粘着領域５１における粘着剤の坪量は、第３粘着領域５３及び第５粘着領域５５における粘着剤の坪量よりも大きい。
【００９３】
第１粘着領域５１は、排泄口対向域Ｓ２で幅方向Ｗにおける中央部に設けられている。この領域は、着用者の臀裂に対向する領域であるため、着用者からの圧力を受け難い。したがって、第１粘着領域５１の粘着剤の坪量を、吸収体３０と重なる領域に設けられた粘着剤のなかで最も大きくすることで、排泄口対向域Ｓ２における幅方向Ｗの中央部をしっかりと衣類に止着させることができる。特に、排泄口対向域Ｓ２の幅方向Ｗにおける中央部は、着用者からの体液を直接受け止める領域に相当するので、衣類に対してしっかりと止着されることが好ましい。
【００９４】
粘着領域５０を構成する粘着剤の坪量は、幅方向Ｗにおける中央から外側に向かうにつれて小さくなっていくことが好ましい。より具体的には、吸収体３０と厚み方向に重なる領域において、任意の位置における粘着剤の坪量は、それよりも幅方向の内側の粘着剤の坪量と同じであるか、又は小さい。なお、幅方向Ｗにおける粘着剤の坪量に関する上記関係は、粘着剤が存在する位置でのみ満たされていればよい。すなわち、幅方向Ｗにおいて、粘着剤が塗布された領域どうしの間に、粘着剤が塗布されていない領域、すなわち粘着剤の坪量が０の領域が存在していてもよい。本実施形態では、第２粘着領域５２における粘着剤の坪量が第１粘着領域５１における粘着剤の坪量よりも小さく、第４粘着領域５４における粘着剤の坪量が第３粘着領域５３における粘着剤の坪量よりも小さい。
【００９５】
着用者が着座した状態では、吸収性物品１が着用者から受ける圧力は、幅方向Ｗにおける中央から外側に向かうにつれて大きくなっていく。したがって、粘着領域５０を構成する粘着剤の坪量が幅方向Ｗにおける中央から外側に向かうにつれて小さくなっていることによって、着用者からの圧力を強く受ける領域の粘着剤の坪量を小さくし、着用者からの圧力をあまり受けない領域の粘着剤の坪量を大きくすることができる。よって、衣類に止着する力を維持しつつ、剥離音の音圧レベルを小さくし、衣類へのダメージをできるだけ低減することができる。
【００９６】
吸収性物品１は、幅方向に沿ったライン上における粘着領域５０の粘着剤の合計の幅によって規定される塗布幅が、前後方向Ｌの前側又は後側に向かうにつれて小さくなった塗布幅低下領域Ｒ１，Ｒ２を有することが好ましい。着用者が衣類から吸収性物品１を剥がす際、着用者は、吸収性物品１の前側又は後側から剥がすことが多い。幅方向Ｗに沿ったライン上における粘着剤の合計の幅によって規定される塗布幅が、前側又は後側に向かうにつれて小さくなっていることにより、吸収性物品１の剥がし始めの部分の粘着力を低下させることができる。これにより、吸収性物品１を剥がし易くすることができる。
【００９７】
また、吸収性物品１の剥がし始めの部分は一般に剥離音の音圧レベルが大きくなりがちであるが、剥がし始めの部分の粘着力を低下させることにより、剥がし始めの音圧レベルを低減することができる。
【００９８】
さらに、着用者が衣類から吸収性物品１を剥がす際、吸収性物品１の前側から剥がす着用者がより多いことを考慮すると、少なくとも粘着領域５０の前側の端部において、塗布幅低下領域Ｒ１が設けられていることが好ましい。
【００９９】
塗布幅低下領域Ｒ１，Ｒ２では、粘着剤の塗布域は、幅方向Ｗにおける外側に向かうほど、前後方向Ｌの外側まで延びていることが好ましい。具体例として、本実施形態では、塗布幅低下領域Ｒ１では、第６粘着領域５６が、第５粘着領域５５よりも前側まで延びている。また、塗布幅低下領域Ｒ２では、第４粘着領域５４が、第３粘着領域５３よりも後側まで延びている。
【０１００】
これにより、粘着領域５０の前側の最端部又は後側の最端部をできるだけ幅方向Ｗにおける外側に位置させることができる。したがって、粘着領域５０の前後方向Ｌの最端部と粘着領域５０の幅方向Ｗの最端部とによって形成される領域をより広くすることができる。よって、吸収性物品をより安定的に衣類に取り付けることができる。
【０１０１】
前述の規定による塗布幅が前後方向Ｌの前側に向かうにつれて小さくなっている場合、塗布幅低下領域Ｒ１は、第２折り線Ｆ２よりも前側に設けられていることが好ましい。一方、前述の規定による塗布幅が前後方向Ｌの後側に向かうにつれて小さくなっている場合、塗布幅低下領域Ｒ２は、第１折り線Ｆ１よりも後側に設けられていることが好ましい。
【０１０２】
塗布幅低下領域Ｒ１，Ｒ２が排泄口対向域Ｓ２にも存在すると、排泄口対向域Ｓ２を衣類に止着させるための粘着力が低下することがある。本態様では、塗布幅低下領域Ｒ１，Ｒ２が第１折り線Ｆ１よりも後側又は第２折り線Ｆ２よりも前側に設けられているので、排泄口対向域Ｓ２を衣類に止着させる力を維持することができる。
【０１０３】
（３）吸収性物品の剥離音の音圧レベルの測定方法
本明細書において、吸収性物品を金巾から剥がしたときに生じる剥離音の音圧レベルは、以下の方法に従って測定される。
【０１０４】
まず、裏面シート２０が金巾に面するように、吸収性物品１を金巾の上に置く。ここで、金巾としては、ＪＩＳ  Ｌ  ０８０３に準拠した添付白布（ＪＩＳ染色堅ろう度試験用の添付白布）が用いられる。次に、前後方向Ｌにおいて吸収性物品よりも外側に、圧着ローラの軸方向が吸収性物品１の幅方向に沿うように圧着ローラを置く。圧着ローラは、軸方向に４．５ｃｍの長さと、２００ｇの重量と、５ｃｍの直径と、を有する。次に、吸収性物品の前後方向に圧着ローラを転がし、吸収性物品の前後方向における前側の端部から後側の端部まで５０ｍｍ／ｓｅｃの速さで圧着ローラを通過させる。その後、前後方向Ｌにおける前側から１２０ｍｍ／ｓｅｃの速さで吸収性物品を金巾から剥がす。吸収性物品を金巾から剥がすときに生じる音圧レベルを騒音計（デジタルサウンドチェッカー  ＳＤ−２１００：扶桑理化製品株式会社製）で測定する。なお、音圧レベルの測定時に、騒音計は、吸収性物品の前後方向及び幅方向の中心から３０ｃｍ離れた位置に置かれる。ここで、基準音圧レベルを２０μＰａとしたときの測定値（ｄＢ）によって、音圧レベルを決定する。
【０１０５】
（４）第２実施形態
次に、図４に基づいて、第２実施形態に係る吸収性物品について説明する。なお、第２実施形態の説明において、第１実施形態と同様の構成については、説明を省略することがある。
【０１０６】
第２実施形態では、粘着領域５０は、第１粘着領域５１と、第２粘着領域５２と、第３粘着領域５３と、第４粘着領域５４と、第５粘着領域５５と、第６粘着領域５６と、第７粘着領域５７と、第８粘着領域５８と、第９粘着領域５９と、を有する。ここで、第７粘着領域５７は、第１粘着領域５１と第２粘着領域５２との間に設けられている。第８粘着領域５８は、第３粘着領域５３と第４粘着領域５４との間に設けられている。第９粘着領域５９は、第５粘着領域５５と第６粘着領域５６との間に設けられている。
【０１０７】
第１粘着領域５１は排泄口対向域Ｓ２の幅方向Ｗにおける中央部に設けられ、第２粘着領域５２は幅方向Ｗにおいて第１粘着領域５１の両側に配置されている。さらに、第１粘着領域５１における粘着剤の坪量は、第２粘着領域５２における粘着剤の坪量よりも大きい。第１粘着領域５１は、幅方向Ｗにおける吸収性物品の中心を通って前後方向に延びる中心線ＣＬから幅方向Ｗに１５ｍｍ以内の範囲Ｌ１に設けられていることが好ましい。
【０１０８】
本実施形態では、第３粘着領域５３は、第１折り線Ｆ１よりも後側で幅方向Ｗにおける中央部に設けられており、第４粘着領域５４は、幅方向Ｗにおいて第３粘着領域５３の両側に位置する。ここで、第３粘着領域５３における粘着剤の坪量は、第４粘着領域５４における粘着剤の坪量よりも大きい。
【０１０９】
第５粘着領域５５は、第２折り線Ｆ２よりも前側で幅方向Ｗにおける中央部に設けられていてよい。第６粘着領域５６は、幅方向Ｗにおいて第５粘着領域５５の両側に位置していてよい。第５粘着領域５５における粘着剤の坪量は、第６粘着領域５６における粘着剤の坪量よりも大きいことが好ましい。
【０１１０】
第２折り線Ｆ２よりも前側の領域の幅方向Ｗにおける中央部は、着座中に着用者から受ける圧力が比較的小さい。一方、第２折り線Ｆ２よりも前側の領域の幅方向Ｗにおける外側部は、着座中に着用者が脚を組み替えることにより強い圧力を受ける。
【０１１１】
したがって、排泄口対向域Ｓ２と同様に第２折り線Ｆ２よりも前側の領域においても、幅方向Ｗにおける中央部に位置する第５粘着領域５５における粘着剤の坪量を、幅方向Ｗにおける外側部に位置する第６粘着領域５６における粘着剤の坪量よりも大きくすることで、衣類に止着する力を維持しつつ、剥離音の音圧レベルを小さくし、衣類へのダメージをできるだけ低減することができる。
【０１１２】
粘着領域５０を構成する粘着剤の坪量は、幅方向Ｗにおける中央から外側に向かうにつれて小さくなっていくことが好ましい。本実施形態では、第２粘着領域５２における粘着剤の坪量が第７粘着領域５７における粘着剤の坪量よりも小さく、第７粘着領域５７における粘着剤の坪量が第１粘着領域５１における粘着剤の坪量よりも小さい。また、第４粘着領域５４における粘着剤の坪量が第８粘着領域５８における粘着剤の坪量よりも小さく、第８粘着領域５８における粘着剤の坪量が第３粘着領域５３における粘着剤の坪量よりも小さい。さらに、第６粘着領域５６における粘着剤の坪量が第９粘着領域５９における粘着剤の坪量よりも小さく、第９粘着領域５９における粘着剤の坪量が第５粘着領域５５における粘着剤の坪量よりも小さい。
【０１１３】
第１実施形態で説明したように、着用者が着座した状態では、吸収性物品１が着用者から受ける圧力は、幅方向Ｗにおける中央から外側に向かうにつれて大きくなっていく。第２実施形態では、幅方向Ｗの内側から外側に向けて複数段階で粘着領域５０を構成する粘着剤の坪量が小さくなっているので、着用者からの圧力の分布に合わせて粘着剤の坪量を適切に設定することができる。
【０１１４】
第２実施形態では、第３粘着領域５３は第１粘着領域５１と連続しており、第４粘着領域５４は第２粘着領域５２と連続している。これにより、着用者が前後方向Ｌに吸収性物品１を衣類からはがす際に、吸収性物品１を引っ張る力が概ね一定になり、滑らかに吸収性物品１をはがすことができる。ここで、前後方向Ｌにおいて粘着領域（粘着剤）５０が間欠的に設けられていると、吸収性物品１をはがす際に、粘着剤が設けられていない間欠部と粘着剤との境界部分付近の部分が衣類から剥がれる際に、剥離音の音圧レベルが大きくなってしまう。本態様によれば、第３粘着領域５３が第１粘着領域５１と連続し、第４粘着領域５４が第２粘着領域５２と連続するため、剥離音の増大を抑制することができ、これにより衣類へのダメージを抑制することができる。
【０１１５】
さらに、第５粘着領域５５は第１粘着領域５１と連続しており、第６粘着領域５６は第２粘着領域５２と連続していることが好ましい。これにより、着用者が前後方向Ｌに吸収性物品１を衣類からはがす際に、吸収性物品１を引っ張る力が概ね一定になり、滑らかに吸収性物品１をはがすことができる。さらに、吸収性物品１を剥離する際の剥離音の増大を抑制することができ、これにより衣類へのダメージを抑制することができる。
同様に、第８粘着領域５８は第７粘着領域５７と連続しており、第９粘着領域５９は第７粘着領域５７と連続していることが好ましい。
【０１１６】
前述したように、前後方向Ｌに粘着領域が連続している場合、前後方向Ｌに連続した粘着領域、例えば第１粘着領域５１、第３粘着領域５３及び第５粘着領域５５は、製造上の観点から、互いに同じ坪量の粘着剤によって構成されることが好ましい。
【０１１７】
また、第１実施形態で説明したように、第１粘着領域５１は、吸収性物品の厚み方向において吸収体３０と重なる領域に設けられた粘着剤のなかで最も大きい坪量を有する粘着剤によって構成されることが好ましい。この場合であっても、第１粘着領域５１、第３粘着領域５３及び第５粘着領域５５は、互いに同じ坪量の粘着剤によって構成されていてよい。
【０１１８】
（５）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。したがって、本発明の技術的範囲は、上述の説明から妥当な特許請求の範囲に係る発明特定事項によってのみ定められるものである。
【０１１９】
例えば、互いに異なる実施計形態で説明した特徴は、互いに置き換え可能であること注意すべきである。
【０１２０】
また、上記実施形態では、吸収性物品１は、幅方向に沿った２つの折り線Ｆ１，Ｆ２を有する。この代わりに、吸収性物品は、幅方向に沿った３つ以上の折り線を有していてもよい。この場合、排泄口対向域の後側で排泄口対向域に最も近い折り線を「第１折り線Ｆ１」と規定し、排泄口対向域の前側で、排泄口対向域に最も近い折り線を「第２折り線Ｆ２」と規定するものとする。
【符号の説明】
【０１２１】
１        吸収性物品
１０      表面シート
２０      裏面シート
３０      吸収体
３２      中高部
３６      圧搾部
５０      粘着領域
５１      第１粘着領域
５２      第２粘着領域
５３      第３粘着領域
５４      第４粘着領域
５５      第５粘着領域
５６      第６粘着領域
５７      第７粘着領域
５８      第８粘着領域
５９      第９粘着領域
Ｌ        前後方向
Ｗ        幅方向
Ｔ        厚み方向
Ｆ１      第１折り線
Ｆ２      第２折り線
【図１】
2018015467.tif 000003
【図２】
2018015467.tif 000004
【図３】
2018015467.tif 000005
【図４】
2018015467.tif 000006